(57)【要約】【課題】スポークに感応具を迅速に固定することが可能であり、脱着が迅速となり、修理が容易となり、固定効果が極めて良いスポーク用感応具固定装置を提供する。【解決手段】スポーク用感応具固定装置は、主体１０と、締結具３０と、を備える。主体１０は、感応端１１、および、締結端１２を有する。感応端１１には、感応具２０を設けることが可能である。締結端１２の軸方向には、ねじ穴１３が設けられている。主体１０の側壁には、貫通溝１４が設けられる。貫通溝１４は、ねじ穴１３と連通する。締結具３０は、ねじ穴１３と螺合可能なねじ軸３１を有する。ねじ軸３１の端部は、貫通溝１４に挿入可能である。【選択図】図３
0003189974.tif 000002
【実用新案登録請求の範囲】
【請求項１】
感応端、および、締結端を有し、前記感応端に感応具を設けることが可能であり、前記締結端の軸方向には、ねじ穴が設けられており、側壁に貫通溝が設けられており、前記貫通溝が前記ねじ穴と連通する本体と、
前記ねじ穴と螺合可能なねじ軸を有し、前記ねじ軸の端部を前記貫通溝に挿入可能である締結具と、
を備えることを特徴とするスポーク用感応具固定装置。
【請求項２】
前記貫通溝は、円弧段と、直線段と、から構成されることを特徴とする請求項１に記載のスポーク用感応具固定装置。
【請求項３】
前記円弧段は、前記貫通溝の内側に位置することを特徴とする請求項２に記載のスポーク用感応具固定装置。
【請求項４】
前記感応具は、磁石であることを特徴とする請求項１に記載のスポーク用感応具固定装置。
【請求項５】
前記締結具は、断面形状が多角形を呈する工具端を有することを特徴とする請求項１に記載のスポーク用感応具固定装置。
【考案の詳細な説明】
【技術分野】
【０００１】
本考案は、自転車のスポークに取り付けられ、自転車の速度、踏込み頻度、回転数、又は距離を測定するための感応具に関し、特に、脱着が迅速となり、多くの種類のスポークに取り付けることが可能なスポーク用感応具固定装置に関するものである。
【背景技術】
【０００２】
自転車の速度、踏込み頻度、回転数、又は距離などの情報を測定するために、フレームには、ディスプレイと、測定装置と、が設けられており、タイヤには、タイヤと共に回転する感応具が設けられていることが一般的である。測定装置が感応具の通過回数を測定することにより、自転車の速度、踏込み頻度、回転数、又は距離などの情報に換算することが可能である。
【０００３】
図１を参照する。図１は従来の感応具の取り付けを示す斜視図である。図１の感応具は、主体１と、ナット２と、を含む。主体１の一端には、ナット２と螺合可能な雄ねじ３が設けられている。主体１の雄ねじ３を有する一端には、主体１の軸方向に沿う貫通溝４が設けられている。貫通溝４にスポーク５を挿入して、主体１とナット２を螺合すると、スポーク５が貫通溝４内に定位されるようになる。
【０００４】
自転車のスポークには、１．８ｍｍの直径を有するワイヤスポークの他、重力を減少するために、両端の幅がより大きくて中央の幅がより小さい断面形状を呈する変径スポーク、又は空気抵抗を減少するために、断面形状を流線型にする炭素繊維スポークが採用される。図１の感応具は、１．８ｍｍの直径を有するワイヤスポークに適用することが可能であるが、それ以外のスポーク（例えば変径スポークや炭素繊維スポーク）に適用することができない。すなわち、変径スポークや炭素繊維スポークに図１の感応具を取り付けて使用する場合には、タイヤが回転しているときに、遠心力により感応具がずれやすい。また、断面形状が流線型である炭素繊維スポークは、断面の寸法が主体１よりも大きいため、貫通溝４に入れることができない。
【０００５】
また、図１の感応具は、主体１からナット２を取り外さないと貫通溝４にスポークを入れることができないが、主体１とナット２の寸法が極めて小さいため、取り外された主体１及びナット２は紛失しやすい。
【考案の概要】
【考案が解決しようとする課題】
【０００６】
本考案の主な目的は、スポークに感応具を迅速に固定することが可能であり、脱着が迅速となり、修理が容易となり、固定効果が極めて良いスポーク用感応具固定装置を提供することにある。
本考案の次の目的は、スポークに感応具を確実に固定することが可能なスポーク用感応具固定装置を提供することにある。
本考案の別の目的は、部品の紛失を回避することが可能なスポーク用感応具固定装置を提供することにある。
【課題を解決するための手段】
【０００７】
本考案のスポーク用感応具固定装置は、本体と、締結具と、を備える。本体は、感応端、および、締結端を有する。感応端には、感応具を設けることが可能である。締結端の軸方向には、ねじ穴が設けられている。側壁には、貫通溝が設けられている。貫通溝は、ねじ穴と連通する。
締結具は、ねじ穴と螺合可能なねじ軸を有する。ねじ軸の端部は、貫通溝に挿入可能である。
【０００８】
本考案のスポーク用感応具固定装置によると、貫通溝は、円弧段と、直線段と、から構成される。
【０００９】
本考案のスポーク用感応具固定装置によると、円弧段は、貫通溝の内側に位置する。
【００１０】
本考案のスポーク用感応具固定装置によると、感応具は、磁石である。
【００１１】
本考案のスポーク用感応具固定装置によると、締結具は、断面形状が多角形を呈する工具端を有する。
【考案の効果】
【００１２】
本考案のスポーク用感応具固定装置によれば、次のような効果がある。
（１）主体の側壁から、スポークを貫通溝に挿入して、貫通溝に締結具をねじ込むことにより、スポークを緊迫することが可能であるため、スポークに感応具を迅速に固定することが可能であり、脱着が迅速となり、修理が容易となり、固定効果が極めて良い。
【００１３】
（２）貫通溝は、円弧段と、直線段と、から構成され、ねじ軸の少なくとも一部が円弧段に位置するため、１．８ｍｍの直径を有するワイヤスポークに適用することが可能である他、それ以外のスポーク（例えば変径スポークや炭素繊維スポーク）に適用することも可能である。締結具は、各種類のスポークを確実に緊迫することが可能であるため、スポークに感応具を確実に固定することが可能である。
【００１４】
（３）締結具のねじ軸がねじ穴に螺着されているため、締結具のねじ軸を少し緩めると、ねじ軸の端部がスポークから離れることが可能である。これにより、締結具を主体から分離する必要ないため、部品の紛失を回避することが可能である。
【図面の簡単な説明】
【００１５】
【図１】従来の感応具を示す斜視図である。
【図２】本考案の一実施形態によるスポーク用感応具固定装置の組合済みの状態を示す斜視図である。
【図３】本考案の一実施形態によるスポーク用感応具固定装置を示す分解斜視図である。
【図４】本考案の一実施形態によるスポーク用感応具固定装置がスポークに固定されている状態を示す斜視図である。
【図５】本考案の一実施形態によるスポーク用感応具固定装置が円形断面形状を有するスポークに取り付けられている状態を示す断面図である。
【図６】本考案の一実施形態によるスポーク用感応具固定装置が変径スポークに取り付けられている状態を示す模式的な断面図である。
【図７】本考案の一実施形態によるスポーク用感応具固定装置が炭素繊維スポークに取り付けられている状態を示す模式的な断面図である。
【考案を実施するための形態】
【００１６】
以下、本考案の実施の形態を図面に基づいて説明する。
（一実施形態）
本考案の一実施形態によるスポーク用感応具固定装置を図２〜図７に示す。説明を容易にするために、図面における部品は、比例、寸法、変形量又は変位量が実際の部品の比例によって描くことではない。そして類似する部品は、同じ符号を付ける。
【００１７】
本実施例のスポーク用感応具固定装置は、主体１０と、締結具２０と、を備える。
【００１８】
主体１０は、感応端１１、および、締結端１２を有する。感応端１１には、感応具２０を設けることが可能である。感応具２０は、磁石でもよい。締結端１２の軸方向には、ねじ穴１３が設けられている。主体１０の側壁には、貫通溝１４が設けられている。貫通溝１４は、主体１０の径方向に沿って設けられ、ねじ穴１３と連通し、主体１０の断面積の半分以上を占める。貫通溝１４は、円弧段１４１と、直線段１４２と、から構成される。円弧段１４１は、貫通溝１４の裏側に位置する。
【００１９】
締結具３０は、ねじ穴１３と螺合可能なねじ軸３１を有する。ねじ軸３１の端部は、貫通溝１４に挿入可能である。ねじ軸３１の端部の少なくとも一部は円弧段１４１に位置する。また、締結具３０のねじ軸３１の反対側には、断面形状が多角形を呈する工具端３２が設けられている。工具端３２は、断面形状が六角形を呈することが好ましい。これにより、ユーザは手又はスパナなどの工具により、締結具３０を脱着することが可能である。
【００２０】
図４及び図５を参照する。本実施形態のスポーク用感応具固定装置をスポーク９０に固定したいときには、ねじ軸３１の端部と貫通溝１４の壁面の距離がスポーク９０の幅よりも大きくなるように、締結具３０を緩める。この後、主体１０の側辺から、スポーク９０を貫通溝１４に入れる。図４及び図５に示すように、円弧段１４１の形状及び寸法は、１．８ｍｍの直径を有するワイヤスポークに応じて設計される。このように、円弧段１４１にスポーク９０を入れて、締結具３０の工具端３２をねじ込むと、ねじ軸３１の端部と貫通溝１４の壁面の距離が縮小して、スポーク９０が貫通溝１４の円弧段１４１とねじ軸３１の端部の間に緊迫されて迅速に定位することが可能である。そして円弧段１４１の設計により、スポーク９０の固定効果を向上することが可能であり、スポーク９０は主体１０から容易に離脱することができない。
【００２１】
本実施形態のスポーク用感応具固定装置を取外したいときには、ねじ軸３１の端部と貫通溝１４の壁面の距離がスポーク９０の幅よりも大きくなるように、工具端３２を逆転すると、貫通溝１４からスポーク９０を取り出すことが可能である。ねじ軸３１を少し緩めると、ねじ軸３１の端部がスポーク９０から離れることが可能であるため、締結具３０を主体１０から分離することが必要なく、部品の紛失を回避することが可能である。
【００２２】
図６に示すように、本実施形態のスポーク用感応具固定装置を変径スポーク９１に取り付ける場合には、必要に応じてねじ軸３１の端部と貫通溝１４の壁面の距離を調整することが可能であるので、より扁平な変径スポーク９１は、締結具３０に緊迫されて貫通溝１４内に固定することが可能である。したがって、タイヤが回転しているときに、本実施形態の感応具は遠心力によるずれを発生しない。
【００２３】
図７に示すように、本実施形態のスポーク用感応具固定装置を炭素繊維スポーク９２に取り付ける場合には、炭素繊維スポーク９２の幅が主体１０よりも大きいため、炭素繊維スポーク９２の側辺の一部を、直線段１４２から入れて、円弧段１４１に当接させて、締結具３０をねじ込むと、ねじ軸３１の端部が炭素繊維スポーク９２の側辺を緊迫する。これにより、タイヤが回転しているときに、本実施形態の感応具は遠心力によるずれを発生しない。
【００２４】
このように、本考案を特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２５】
本考案は、自転車に適用することができる。
【符号の説明】
【００２６】
１０：主体
１１：感応端
１２：締結端
１３：ねじ穴
１４：貫通溝
２０：感応具
３０：締結具
３１：ねじ軸
３２：工具端
９０：スポーク
９１：変径スポーク
９２：炭素繊維スポーク
１４１：円弧段
１４２：直線段
【図１】
0003189974.tif 000003
【図２】
0003189974.tif 000004
【図３】
0003189974.tif 000005
【図４】
0003189974.tif 000006
【図５】
0003189974.tif 000007
【図６】
0003189974.tif 000008
【図７】
0003189974.tif 000009